【手続補正書】
【提出日】平成21年7月24日(2009.7.24)
【手続補正１】
【補正対象書類名】明細書
【補正対象項目名】特許請求の範囲
【補正方法】変更
【補正の内容】
【特許請求の範囲】
【請求項１】
インクにより記録を行う記録装置の状態を識別するためのステータス情報が、前記記録装置においてインク交換の可能性がある操作が行われたことを示すか、前記ステータス情報がインク交換の可能性がある操作が行われていないことを示すかを判別する判別手段と、
前記判別手段により前記ステータス情報がインク交換の可能性がある操作が行われていないことを示すと判別された場合、前記インクの残量を示すインクカウントのリセット処理を行わず、前記判別手段により前記ステータス情報がインク交換の可能性がある操作が行われたことを示すと判別された場合、前記インクカウントのリセット処理を行う処理手段と
を有することを特徴とする記録システム。
【請求項２】
前記判別手段は、前記インクを収容するインクタンクを交換したことを示す指示の入力に基づき、前記ステータス情報がインク交換の可能性がある操作が行われたことを示すか、前記ステータス情報がインク交換の可能性がある操作が行われていないことを示すかを判別することを特徴とする請求項１に記載の記録システム。
【請求項３】
記録処理に基づく前記インクの残量の変化に従って前記インクカウントを更新する更新手段を更に有することを特徴とする請求項１に記載の記録システム。
【請求項４】
前記処理手段は、
前記判別手段により前記ステータス情報がインク交換の可能性がある操作が行われていないことを示すと判別された場合、前記ステータス情報をインク交換の可能性がある操作が行われていないことを示す内容に変更する処理を行わず、
前記判別手段により前記ステータス情報がインク交換の可能性がある操作が行われたことを示すと判別された場合、前記ステータス情報をインク交換の可能性がある操作が行われていないことを示す内容に変更する処理を行う処理手段を
有することを特徴とする請求項１に記載の記録システム。
【請求項５】
インクにより記録を行う記録装置の状態を識別するためのステータス情報に基づき、インクタンクを交換したか否かを利用者に指示させるための画面を表示する表示手段と、
前記インクタンクを交換したことを示す指示に基づき、前記ステータス情報が、前記記録装置においてインク交換の可能性がある操作が行われたことを示すか、前記ステータス情報がインク交換の可能性がある操作が行われていないことを示すかを判別する判別手段と、
前記判別手段によりステータス情報がインク交換の可能性がある操作が行われていないことを示すと判別された場合、前記インクの残量を示すインクカウントのリセット処理を行わず、前記判別手段によりステータス情報がインク交換の可能性がある操作が行われたことを示すと判別された場合、前記インクカウントのリセット処理を行う処理手段と
を有することを特徴とする記録システム。
【請求項６】
インクにより記録を行う記録装置の状態を識別するためのステータス情報が、前記記録装置においてインク交換の可能性がある操作が行われたことを示すか、前記ステータス情報がインク交換の可能性がある操作が行われていないことを示すかを、判別手段が判別する判別ステップと、
前記判別ステップにより前記ステータス情報がインク交換の可能性がある操作が行われていないことを示すと判別された場合、処理手段は前記インクの残量を示すインクカウントのリセット処理を行わず、前記判別ステップにより前記ステータス情報がインク交換の可能性がある操作が行われたことを示すと判別された場合、前記処理手段が前記インクカウントのリセット処理を行う処理ステップと
を有することを特徴とする記録システムの制御方法。
【請求項７】
前記判別ステップは、前記インクを収容するインクタンクを交換したことを示す指示の入力に基づき、前記ステータス情報がインク交換の可能性がある操作が行われたことを示すか、前記ステータス情報がインク交換の可能性がある操作が行われていないことを示すかを判別することを特徴とする請求項６に記載の記録システムの制御方法。
【請求項８】
更新手段が、記録処理に基づく前記インクの残量の変化に従って前記インクカウントを更新する更新ステップを更に有することを特徴とする請求項６に記載の記録システムの制御方法。
【請求項９】
前記処理ステップは、
前記判別ステップにより前記ステータス情報がインク交換の可能性がある操作が行われていないことを示すと判別された場合、前記ステータス情報をインク交換の可能性がある操作が行われていないことを示す内容に変更する処理を行わず、前記判別ステップにより前記ステータス情報がインク交換の可能性がある操作が行われたことを示すと判別された場合、前記ステータス情報をインク交換の可能性がある操作が行われていないことを示す内容に変更する処理を行うことを特徴とする請求項６に記載の記録システムの制御方法。
【請求項１０】
表示手段が、インクにより記録を行う記録装置の状態を識別するためのステータス情報に基づき、インクタンクを交換したか否かを利用者に指示させるための画面を表示する表示ステップと、
前記インクタンクを交換したことを示す指示に基づき、前記ステータス情報が、前記記録装置においてインク交換の可能性がある操作が行われたことを示すか、前記ステータス情報がインク交換の可能性がある操作が行われていないことを示すかを、判別手段が判別する判別ステップと、
前記判別ステップによりステータス情報がインク交換の可能性がある操作が行われていないことを示すと判別された場合、処理手段は前記インクの残量を示すインクカウントのリセット処理を行わず、前記判別ステップによりステータス情報がインク交換の可能性がある操作が行われたことを示すと判別された場合、前記処理手段が前記インクカウントのリセット処理を行う処理ステップと
を有することを特徴とする記録システムの制御方法。
【請求項１１】
インクにより記録を行う記録装置の状態を識別するためのステータス情報が、前記記録装置においてインク交換の可能性がある操作が行われたことを示すか、前記ステータス情報がインク交換の可能性がある操作が行われていないことを示すかを判別する判別ステップと、
前記判別ステップにより前記ステータス情報がインク交換の可能性がある操作が行われていないことを示すと判別された場合、前記インクの残量を示すインクカウントのリセット処理を実行するリセットコマンドを記録装置に送信せず、前記判別ステップにより前記ステータス情報がインク交換の可能性がある操作が行われたことを示すと判別された場合、前記インクカウントのリセット処理を実行するリセットコマンドを記録装置に送信する送信ステップと
をコンピュータに実行させるためのプログラム。
【請求項１２】
前記判別ステップは、前記インクを収容するインクタンクを交換したことを示す指示の入力に基づき、ステータス情報がインク交換の可能性がある操作が行われたことを示すか、前記ステータス情報がインク交換の可能性がある操作が行われていないことを示すかを判別することを特徴とする請求項１１に記載のプログラム。
【請求項１３】
前記記録装置は、記録処理に基づく前記インクの残量の変化に従って前記インクカウントを更新し、前記リセットコマンドに基づき前記インクカウントをリセットすることを特徴とする請求項１１に記載のプログラム。
【請求項１４】
前記送信ステップは、
前記判別ステップにより前記ステータス情報がインク交換の可能性がある操作が行われていないことを示すと判別された場合、前記インクカウントのリセット処理と前記ステータス情報をインク交換の可能性がある操作が行われていないことを示す内容に変更する処理を実行するリセットコマンドを記録装置に送信せず、前記判別ステップにより前記ステータス情報がインク交換の可能性がある操作が行われたことを示すと判別された場合、前記インクカウントのリセット処理と前記ステータス情報をインク交換の可能性がある操作が行われていないことを示す内容に変更する処理を実行するリセットコマンドを記録装置に送信することを特徴とする請求項１１に記載のプログラム。
【手続補正２】
【補正対象書類名】明細書
【補正対象項目名】００１３
【補正方法】変更
【補正の内容】
【００１３】
【課題を解決するための手段】
上記の目的を達成するため、本発明にかかる記録システムは、インクにより記録を行う記録装置の状態を識別するためのステータス情報が、前記記録装置においてインク交換の可能性がある操作が行われたことを示すか、前記ステータス情報がインク交換の可能性がある操作が行われていないことを示すかを判別する判別手段と、
前記判別手段により前記ステータス情報がインク交換の可能性がある操作が行われていないことを示すと判別された場合、前記インクの残量を示すインクカウントのリセット処理を行わず、前記判別手段により前記ステータス情報がインク交換の可能性がある操作が行われたことを示すと判別された場合、前記インクカウントのリセット処理を行う処理手段と
を有することを特徴とする。